(57)【特許請求の範囲】
【請求項１】
可撓性を有する合成樹脂材料によって成形され略平坦な底面と前記底面から起立し外側又は内側に向けて屈曲した屈曲部を有する側面と前記側面の上端に形成され前記底面及び側面よりも高い剛性を有する鍔からなり内部に粉末化粧料を収容する内容器と、
前記内容器の鍔に嵌合して係止する係止環と該係止環に固着された網からなる網枠と、
所定の深さを有する凹所と所定位置に内容器の底面と当接する突起を有する底板とからなり前記凹所に前記内容器を収容する外容器とを有し、
粉末化粧料を収容した前記内容器に前記網枠を係止すると共に該内容器を前記外容器に収容し、
前記網を押圧する力によって、前記内容器の側面が屈曲変形し且つ前記底面が前記外容器の前記底板に沿って変形することを特徴とする粉末化粧料用網付レフィル容器。
【請求項２】
前記網枠を構成する網の周囲に環状のリブを設けたことを特徴とする請求項１記載の粉末化粧料用網付レフィル容器。
【発明の詳細な説明】
【０００１】
【発明の属する技術分野】
本発明は、粉末化粧料を収容するための網付レフィル容器に関し、特に、使用する都度、粉末化粧料を収容した内容器を変形させ、この変形によって内容器内で粉末化粧料を流動させることで、収容された粉末化粧料の固化を防止し得るように構成した粉末化粧料用網付レフィル容器に関するものである。
【０００２】
【従来の技術】
ファンデーションや白粉等を中心として種々の粉末化粧料が使用されている。このような粉末化粧料は比較的浅く且つ上部開口部に網を取り付けた皿型の容器に収容されており、前記網によって粉末化粧料の飛散を防止すると共に、化粧具を網に押し当てることで容器に収容された粉末化粧料を化粧具に付着させて用いるように構成されるのが一般である。
【０００３】
容器に収容された粉末化粧料は使用の都度、網，化粧具によって容器の底側に抑え付けられる。このため、粉末化粧料は徐々に固化し、この結果、使用時に化粧具に対する充分且つ均一な粉末化粧料の付着を実現し得なくなり、容器に粉末化粧料が残存するにも関わらず該化粧料及び容器を廃棄せざるを得ないという問題が生じている。
【０００４】
実公平７-11694号公報には上記問題を解決した粉末化粧料用容器が提案されている。この技術は、弾性を有する合成樹脂材料によって碗型形状に成形され且つ上部開口面にメッシュを設けると共に粉末化粧料を充填したドラムを外容器の凹所に収納したものである。この粉末化粧料用容器では、常に適度にほぐれたパウダーを供給することができ、且つパウダーを無駄なく使用することができる。
【０００５】
【発明が解決しようとする課題】
然し、上記粉末化粧料用容器では、ドラムが底部が小さく上部が大きな径を有する碗型の形状を有するため、内容積が小さくなり粉末化粧料の収容量が少なくなるという問題が生じる。この問題を解決するには、碗型のドラム形状を維持して深さを大きくしたり、或いは上部開口の面積を大きくする等の手段を採用することが必要となり、何れにしても容器全体の大きさを大きくせざるを得ないという問題を派生する。
【０００６】
本発明の目的は、容積を大きくすると共に粉末化粧料を使用する都度内容器に収容された粉末化粧料を流動させることで、収容された粉末化粧料の固化を防止し得るように構成した粉末化粧料用網付レフィル容器を提供することにある。
【０００７】
【課題を解決するための手段】
上記課題を解決するために本発明に係る粉末化粧料用網付レフィル容器は、可撓性を有する合成樹脂材料によって成形され略平坦な底面と前記底面から起立し外側又は内側に向けて屈曲した屈曲部を有する側面と前記側面の上端に形成され前記底面及び側面よりも高い剛性を有する鍔からなり内部に粉末化粧料を収容する内容器と、前記内容器の鍔に嵌合して係止する係止環と該係止環に固着された網からなる網枠と、所定の深さを有する凹所と所定位置に内容器の底面と当接する突起を有する底板とからなり前記凹所に前記内容器を収容する外容器とを有し、粉末化粧料を収容した前記内容器に前記網枠を係止すると共に該内容器を前記外容器に収容し、前記網を押圧する力によって、前記内容器の側面が屈曲変形し且つ前記底面が前記外容器の前記底板に沿って変形することを特徴とする。
【０００８】
上記粉末化粧料用網付レフィル容器（以下単に『レフィル容器』という）では、内容器が略平坦な底面を持って形成され、この底面から起立し外側或いは内側に向けて屈曲した屈曲部を有する側面と、この側面の上端に形成された鍔を有している。このため、内容器の容量を従来技術に於ける碗型のドラムよりも大きくすることが可能となり、該内容器に収容し得る粉末化粧料の量を増加させることが出来る。
【０００９】
また網にパフやスポンジ等の化粧具を抑え付けたときの力は網枠を介して内容器に伝達され、該内容器を押圧する。このとき内容器の底面の一部が外容器に形成された突起と当接するため、押圧力の作用に伴って内容器の底面が変形し、且つ側面が屈曲部を起点として変形する。底面及び側面の変形に伴って内容器の容積が小さくなり、収容された粉末化粧料は内容器内で強制的に流動して固化することがない。特に、使用回数が増加して内容器に収容された粉末化粧料の残量が少なくなったとき、化粧具を抑え付ける力が多少大きくなるため内容器の変形も大きくなり、粉末化粧料量を充分に流動させることが出来る。
【００１０】
化粧具を網から離脱させると、内容器を変形させる力が除去されることとなり、底面及び側面は元の状態に復帰する。このとき、空気が網を通って内容器内に流入し、この過程で更に粉末化粧料が流動する。従って、内容器に収容された粉末化粧料が固化することがない。
【００１１】
上記レフィル容器に於いて、網枠を構成する網の周囲に環状のリブを設けることが好ましい。このように、網の周囲に環状のリブを形成することによって、該リブを化粧具を網に抑え付ける際の或いは化粧具を網から離脱させる際のガイドとすると共に化粧具に付着した余分な粉末化粧料を払い落とすことが出来、且つ払い落とされた粉末化粧料或いは網の上部に出た粉末化粧料が網の周囲に拡散することを防止することが出来る。
【００１２】
【発明の実施の形態】
本発明に係るレフィル容器は、底面の寸法と上部に形成された開口部の寸法が略等しい有底筒状（好ましくは有底円筒状）の内容器を用いることによって、外容器を大きくすることなく粉末化粧料の収容量を増加させたものである。
【００１３】
また内容器の側面に外向き或いは内向きの屈曲部を形成すると共に、外容器の底板の所定位置に内容器の底面と当接する突起を形成することによって、内容器の鍔を介して伝達された網に作用する力で内容器の側面を屈曲変形させると共に底面を外容器の底板に沿って変形させ、この変形に伴って収容された粉末化粧料を強制的に流動させて固化することを防止し、化粧料の粉末状態を維持させるものである。
【００１４】
内容器は可撓性を有する合成樹脂材料、例えばウレタン，ポリプロピレン等によって予め設定された容積をもって成形されており、特に、側面は底面を支持した状態で鍔に力を作用させたとき、この力に応じて容易に変形し、且つ力を除去したとき容易に元の形状に弾性復帰し得るように形成される。
【００１５】
内容器の鍔は、該鍔に係止された網枠を構成する網にパフ或いはスポンジ等の化粧具を抑え付けたとき、この押圧力を内容器の側面に伝達する機能を有するものであり、前記力によって鍔自体が変形することのない程度の剛性を持って形成される。即ち、内容器は底面及び側面の肉厚が略等しく、鍔が底面及び側面よりも厚く形成される。また鍔は側面の上端に直交する方向に一様な厚さを持って形成される。
【００１６】
網枠は、内容器の鍔に係止される係止環と、この係止環に固着された網とによって構成されている。係止環は鍔の幅と略等しい幅を有するリング部と、このリング部の外周に形成された係止部とを有しており、係止部の内周側には内容器の鍔と係合する係合突起が形成され、また外周側には外容器の内周面に形成された係止リングと係合する係合突起が形成されている。この係止環は合成樹脂材料を射出成形することで成形されている。
【００１７】
網はナイロン等の合成樹脂材料からなり、係止環の成形時にインサート成形されて固着されている。この網は化粧具の抑え付けに伴う力を係止環，内容器の鍔に伝達する機能を有することが必要であり、大きな伸縮性を保持する必要はない。
【００１８】
上記の如き網枠を内容器の鍔に係止したとき、内容器の開口部には鍔と網枠の係止環が二重に配置されることとなり、より剛性が高くなる。従って、化粧具を網に抑え付けたときの力は、合理的に内容器の底面及び側面を変形させる力として利用される。このため、化粧具を網に抑え付ける際の抑え位置の変化に伴って内容器の側面に於ける周方向の変形部位が変化し、内容器に収容された粉末化粧料を万遍なく流動させることが可能となる。
【００１９】
上記網枠に於いて、網の周囲に所定の高さを有する環状のリブを設けることが好ましい。この環状のリブは、係止環の上面側に形成され、リブの内周面と係止環の上面は曲面によって接続されている。従って、環状のリブは化粧具を網に抑える際のガイドとしての機能と、化粧具に付着した余分の粉末化粧料を払い落とす機能と、網を通して該網の上面に出た粉末化粧料の拡散を防止する機能を有する。また環状のリブの径を化粧具の径と略等しく形成した場合には、非使用時に於ける化粧具の収容部として利用することも可能である。
【００２０】
外容器は内容器を収容する機能と、内容器の底面を変形させる機能とを有するものであり、網枠の外径よりも大きい内径を有し、且つ内容器の底面から網枠の上面までの高さに突起の高さを加えた寸法と略等しい深さを有する凹所と、所定位置に突起を形成した底板とによって構成されている。外容器の凹所の上端開口部の近傍の内周面にはリング状の係止リングが突出して形成されている。
【００２１】
外容器は、コンパクト容器を構成する身体の一部に形成した有底の凹所として構成することが可能であり、また凹所を規定する筒部と底板とからなる有底筒状に構成することも可能である。
【００２２】
【実施例】
以下、本発明に係るレフィル容器の実施例について図を用いて説明する。図１は第１実施例に係るレフィル容器Ａの構成を示す断面図であり、図２はレフィル容器Ａの展開図である。内容器１の底面１ａは平坦な面として形成され、この底面１ａから側面１ｂが起立して形成されており、側面１ｂの上端には外周方向に突出して鍔１ｃが形成されている。前記底面１ａ及び側面１ｃは略等しい肉厚を持って形成され、鍔１ｃは底面１ａ，側面１ｂよりも厚く形成されている。従って、鍔１ｃは底面１ａ，側面１ｂよりも高い剛性を有する。内容器１の側面１ｂには外側に向かって円弧状に屈曲した屈曲部１ｄが形成されており、この屈曲部１ｄによって側面１ｂは鼓状の形状を有する。
【００２３】
内容器１の側面１ｂに形成される屈曲部の形状は、本実施例に示す外側に向かう円弧状の屈曲部１ｄにのみ限定するものではなく、外側に向けて「く」字状に形成された屈曲部、或いは内側に向けて「く」字状に形成された屈曲部であっても良い。
【００２４】
網枠２は、内容器１の鍔１ｃと嵌合して該鍔１ｃを係止する係止環２ａと、係止環２ａに固着された網２ｂとを有している。係止環２ａは鍔１ｃの幅と略等しいリング部２ａ1 と、該リング部２ａ1 の外周から下方に向けて垂下形成された係止部２ａ2 とを有している。
【００２５】
上記係止部２ａ2 の内周面であって鍔１ｃの厚さと対応する位置に係止突起２ｃが形成されている。前記係止突起２ｃは必ずしも鍔１ｃの全周と係合する必要はなく、網枠２を内容器１に嵌合させたとき、網枠２の内容器１からの離脱を防止し得る程度の保持力を発揮し得れば良い。本実施例では係止部２ａ2 を等分して４箇所に係止突起２ｃを形成している。また係止部２ａ2 の外周面であって外容器３の内周面に形成された係止リング３ｄと対応する位置には、前記係止突起２ｃと同様な係止突起２ｄが形成されている。
【００２６】
外容器３は、内部に網枠２を係止した内容器１を収容する凹所３ａが形成され、該凹所３ａは底板３ｂによって深さが規定されている。即ち、凹所３ａの平面形状は網枠２の平面形状と略等しい形状を有しており、且つ底板３ｂは内容器１の底面１ａから網枠２のリング部２ａ1 の表面までの距離に該底板３ｂに形成された突起３ｅの高さを加えた寸法と対応する位置に形成されている。本実施例に於いて、外容器３は底部が底板３ｂによって規定された有底筒状に形成され、凹所３ａは所定の肉厚を持った筒部３ｃの内部に形成されている。
【００２７】
筒部３ｃの上端側の内周面の所定位置に係止リング３ｄが形成されている。この係止リング３ｄは、網枠２の係止部２ａ2 に形成した係止突起２ｄと係合して凹所３ａに収容された網枠２を係止した内容器１の離脱を防止する機能を有するものである。
【００２８】
底板３ｂの略中央に凹所３ａ側に突出して突起３ｅが形成されている。突起３ｅは化粧具４を網２ｂに抑え付けたときの押圧力によって内容器１が下方に付勢されたとき、内容器１の底面１ａと当接して該底面１ａを変形させる機能を有するものである（図８参照）。
【００２９】
突起３ｅは外容器３の底板３ｂの略中央に円錐台状の突起として形成され、内容器１の底面１ａと面接触し得るように構成されている。突起３ｅの頂部３ｅ1 の面積及び高さは、レフィル容器Ａの使用時に内容器１に収容された粉末化粧料５の流動を確保し得るように内容器１の底面１ａの面積及び深さに応じて予め設定されている。
【００３０】
上記の如く、外容器３の底板３ｂに円錐台状の突起３ｅを形成したレフィル容器Ａでは、使用時に内容器１が押圧されたとき、底面１ａの突起３ｅとの接触部分は変形が阻止され、この底面１ａは網２ｂに接近することとなる。このため、内容器１に収容された粉末化粧料５の化粧具４に対する付着が容易となる。
【００３１】
上記内容器１，網枠２，外容器３によってレフィル容器Ａを構成する手順について説明する。
【００３２】
先ず、内容器１に所定量の粉末化粧料５を収容する。その後、図７に示すように、内容器１を蓋装着治具６のダイス６ａに配置すると共に該内容器１に網枠２を載置し、この網枠２をポンチ６ｂによって内容器１側に付勢することで係止環２ａに鍔１ｃを嵌合させ、係止突起２ｃによって鍔１ｃを係止する。これにより、内容器１に網枠２を一体化することが可能である。
【００３３】
上記の如くして一体化された内容器１と網枠２は、図示しない一対のダイスとポンチからなる治具によって外容器３の凹所３ａに圧入され、図１に示すレフィル容器Ａが構成される。外容器３に収容された内容器１は、該容器１に一体化された網枠２の係止突起２ｄが外容器３に形成された係止リング３ｄと係合し、外容器３から離脱する方向への移動が阻止され、外容器３の底板３ｂ方向への移動が許容される。
【００３４】
図３は本発明の第２実施例に係るレフィル容器Ｂの構成を示す断面図である。図に於いて、前述の第１実施例と同一の部分には同一の符号が付されている。本実施例のレフィル容器Ｂは、外容器３の底板３ｂに形成された突起の形状が第１実施例の突起３ｅの形状と異なる以外は全て同様に形成されている。
【００３５】
図に示すように、外容器３の底板３ｂの略中央には半球状の突起３ｆが形成され、この突起３ｆの頂部３ｆ1 が底面１ａと当接している。従って、突起３ｆは底面１ａに対し点接触することとなる。
【００３６】
上記の如く、底板３ｂに半球状の突起３ｆを形成した外容器３では、第１実施例の如き円錐台状の突起３ｅと比較して、内容器１の底面１ａをより小さい力で容易に変形させることが可能であり、内容器１に収容された粉末化粧料５の流動性を確保することが可能である。
【００３７】
図４は本発明の第３実施例に係るレフィル容器Ｃの構成を示す断面図である。図に於いて、前述の第２実施例と同一の部分には同一の符号が付されている。本実施例のレフィル容器Ｃは、外容器３の底板３ｂに複数の半球状の突起３ｆを形成したものである。従って、内容器１の底面１ａは複数の点で各突起３ｆと接触することとなる。複数の突起３ｆは、夫々底板３ｂの中心からの距離が等しくなる位置に形成されている。
【００３８】
上記の如く、底板３ｂに複数の半球状の突起３を形成した外容器３では、第２実施例と同様により小さい押圧力の作用によって内容器１を容易に変形させることが可能であり、且つ底面１ａが複数の点を起点として変形するため、この変形に伴って収容された粉末化粧料５を積極的に流動させるように作用する。このため、粉末化粧料５の固化を防止して流動性を確保することが可能となる。
【００３９】
尚、上記第３実施例に於ける複数の突起３ｆを連続させて平面形状が環状の突起（図示せず）を形成しても良い。この場合、突起は内容器１の底面１ａに対し環状に接触し、内容器１に押圧力が作用したとき、底面１ａは突起を境界として変形する。このため、粉末化粧料５の固化を防止して流動性を確保することが可能である。
【００４０】
図５は網枠２を構成する網２ｂの周囲に環状のリブを形成したレフィル容器Ｄの半断面図である。尚、図に於いて第１実施例と同一の部分には同一の符号が付してある。
【００４１】
図に於いて、網枠２を構成する網２ｂの周囲には環状のリブ７が形成されている。このリブ７は、網２ｂを通してレフィル容器Ｄの表面に出た粉末化粧料５が網枠２から拡散することを防止する機能と、化粧具４を網２ｂに抑え付けて粉末化粧料５を付着させた後該化粧具４に付着した余分な粉末化粧料５を払い落とす機能とを有するものである。
【００４２】
リブ７は、網枠２を構成する係止環２ａのリング部２ａ1 に予め設定された高さを持って且つ網２ｂを囲んで形成されている。リング部２ａ1 に於けるリブ７の形成位置は特に限定するものではない。然し、化粧具４の径と略等しい径となる位置であることが好ましく、このようなリブ７を形成した場合、非使用時には化粧具４を網枠２の上部であってリブ７で囲まれた部分に収容することが可能となる。
【００４３】
図６に示すレフィル容器Ｅは、外容器をコンパクト容器11の身体12とし、該身体12に形成した凹所12ａに網枠２を一体化した内容器１を収容したものである。図に於いて、コンパクト容器11は身体12と蓋体13を有しており、これらの身体12及び蓋体13を蝶番ピン14を介して開閉可能に装着して構成されている。身体12の所定位置には、内容器１を収容する凹所12ａが形成されている。
【００４４】
上記凹所12ａは前述した各実施例に於ける凹所３ａと同様の仕様を持って形成されている。即ち、凹所12ａの底板12ｂには突起12ｅが形成され、また上部には係止リング12ｄが形成されている。そして凹所12ａに収容された内容器１は、網枠２の係止突起２ｄが凹所12ａに形成された係止リング12ｄと係合して該凹所12ａから離脱する方向への移動が阻止され、凹所12ａの下方への移動のみが許容されている。
【００４５】
上記の如く、網枠２を一体化させた内容器１を収容する外容器としては、必ずしも有底筒状の外容器３である必要はなく、内容器２を収容し得る凹所３ａ，12ａを有するものであれば良い。即ち、外容器３の外形は筒状，板状等種々の形状に成形することが可能である。
【００４６】
次に、上記の如く構成されたレフィル容器の使用時に於ける粉末化粧料５の流動について図８により説明する。図に於いて、レフィル容器として第１実施例のレフィル容器Ａを用いており、該レフィル容器Ａの外容器３をコンパクト容器21の身体22に形成された収容部22ａに収容している。尚、外容器３の外周面には係合溝３ｇが形成されており、身体22の収容部22ａに形成された係合突起22ｂと係合してレフィル容器Ａの身体22からの離脱を防止している。
【００４７】
上記レフィル容器Ａに於いて、内容器１に収容されている粉末化粧料５の量が多い場合、網２ｂに化粧具４を僅かに抑え付けると、このときの押圧力によって網２ｂは僅かに撓んで粉末化粧料５の最上面に接触し、粉末化粧料５が網２ｂを通って露出して化粧具４に付着する。
【００４８】
内容器１に収容された粉末化粧料５の減少に伴って化粧具４を網２ｂに抑え付けても該網２ｂが粉末化粧料５に接触しなくなるため、より大きな力で化粧具４を抑え付けることになる。この押圧力は網２ｂを撓ませると同時に該網２ｂから係止環２ａ，鍔１ｃを介して側面１ｂ，底面１ａに伝達される。押圧力の作用に伴って網枠２は外容器３の底板３ｂ方向に移動する。そして内容器１の底面１ａの略中央が外容器３の底板３ｂに形成された突起３ｅに面接触していることから、該底面１ｂは突起３ｅとの接触面以外の面が突起３ｅの側面，底板３ｂに沿って変形すると同時に側面１ｂが屈曲変形し、内容器１の容積が減少する。
【００４９】
このため、内容器１に収容された粉末化粧料５の最上面のレベルが相対的に上昇して網２ｂに接触し、粉末化粧料５が網２ｂを通って露出して化粧具４に付着する。底面１ａ，側面１ｂの変形に伴って、収容された粉末化粧料５が内容器１内で流動して固化が防止され、粉末状態を維持することが可能となる。また化粧具４を網２ｂから離脱させると、内容器１の底面１ａ，側面１ｂは元の形状に復帰し、この復帰過程で空気が網２ｂを通って内容器１内に流通して収容された粉末化粧料５を攪拌することで、該化粧料５の固化をより効果的に防止することが可能である。
【００５０】
上記の如く、内容器１は網２ｂに作用する力の大きさに応じて底面１ａ，底面１ａ及び側面１ｂが変形する。そして内容器１の変形に伴って収容された粉末化粧料５は強制的に流動させられることから、該化粧料５は常に流動性を維持し、固化することがない。
【００５１】
次に、コンパクト容器の例について図９〜図14によって説明する。図に示すコンパクト容器では前述した各実施例のレフィル容器Ａ〜Ｅを選択的に適用することが可能である。然し、説明の煩雑さを回避するために第１実施例に係るレフィル容器Ａを適用した場合について説明する。
【００５２】
図９はレフィル容器Ａと化粧具４を並列して配置し得るように構成した所謂並列式コンパクト容器31の斜視図であり、図10はコンパクト容器31を閉鎖した状態の断面図である。
【００５３】
図に於いて、コンパクト容器31は、身体32と蓋体33を図示しない蝶番ピンによって回動可能に接続して構成され、非使用時には身体32に配置されたレフィル容器Ａの上方を閉鎖し、使用時には開放し得るように構成されている。身体31にはレフィル容器Ａの外容器３を収容する収容部32ａが形成されており、該収容部32ａの内周面の所定位置には係合突起32ｂが形成されている。収容部32ａと並列して化粧具４を収容する収容部32ｃが形成されている。
【００５４】
蓋体33の内面であって収容部32ａと対向する位置にはレフィル容器Ａの網枠２を被蓋して内容器１に収容された粉末化粧料５の乾燥を防ぐパッキン34が取り付けられており、また収容部32ｃと対向する位置には鏡35が取り付けられている。
【００５５】
身体32及び蓋体33の回動中心とは反対側であって互いに対向する位置には係合突起36及び係止フック37が設けられている。従って、身体32と蓋体33を回動させて係合突起36と係止フック37を係合させることでコンパクト容器31を閉鎖することが可能であり、且つ係合突起36と係止フック37の係合を解除することでコンパクト容器31を開放することが可能である。
【００５６】
レフィル容器Ａを構成する外容器３の外周面には、コンパクト容器31の収容部32ａに形成された係止突起32ｂと対向する位置に係合溝３ｇが形成されている。そして前記レフィル容器Ａを収容部32ａに圧入して係止突起32ｂを係合溝３ｇに嵌合させることで、レフィル容器Ａの収容部32ａからの離脱を防止している。このように構成されたコンパクト容器31では、比較的面積が大きくなるものの厚さが小さくなる。
【００５７】
図11はレフィル容器Ａと化粧具４を上下方向に配置した所謂多段式コンパクト容器41の斜視図であり、図12はコンパクト容器41を閉鎖した状態の断面図である。
【００５８】
図に於いて、コンパクト容器41は、身体42と蓋体43及び中蓋44を有しており、これらの各部材を蝶番ピン45によって互いに回動可能に接続して構成されている。身体42には係止突起42ｂを有する収容部42ａが形成され、該収容部42ａにレフィル容器Ａが圧入されて係止突起42ｂが係合溝３ｇに嵌合することで固定されている。
【００５９】
蓋体43の内面には鏡46が取り付けられている。中蓋44の身体42側の面にはレフィル容器Ａに収容された粉末化粧料５の乾燥を防ぐパッキン47が取り付けられており、蓋体43側の面は化粧具４を収容する収容部として形成されている。このように構成されたコンパクト容器41では、比較的厚さが大きくなるものの面積は小さくなる。
【００６０】
図13はレフィル容器Ａと化粧具４を並列して配置すると共にレフィル容器Ａに対向して中蓋を配置した所謂中蓋式コンパクト容器51の斜視図であり、図14はコンパクト容器51を閉鎖した状態の断面図である。
【００６１】
図に於いて、身体52と蓋体53は図９の並列式コンパクト容器と略同様に構成されており、身体52に対するレフィル容器Ａの収容方式も同一に構成されている。身体52のレフィル容器Ａに対向する位置には身体52に対し回動可能に取り付けられた中蓋54が配置されており、コンパクト容器51の開放とレフィル容器Ａの開閉が互いに独立して行なえるように構成されている。
【００６２】
上記の如く、レフィル容器Ａの開閉を中蓋54によって行なうため、蓋体53の内面には大きな鏡55が取り付けられている。このように構成されたコンパクト容器51では面積，厚さ共に大きくなるが、鏡55のサイズを大きくすることが可能となり、汎用性を向上することが可能である。
【００６３】
尚、前述の各実施例では、外容器３の凹所３ａ或いはコンパクト容器11の身体12に形成した凹所12ａに収容された内容器１の離脱を防止するために、凹所３ａ12ａに係止リング３ｄ，12ｄを形成すると共に網枠２に係止突起２ｄを形成したが、この構成に限定するものではなく、内容器１の底面１ａと突起３ｅ，12ｅを接着しても良い。
【００６４】
【発明の効果】
以上詳細に説明したように本発明に係るコンパクトでは、内容器の底面を略平坦な面に形成することによって粉末化粧料の収容量を増加させることが出来る。
【００６５】
また内容器を可撓性を有する合成樹脂材料で成形すると共に側面に屈曲部を形成し、且つ外容器の底板の所定位置に突起を形成することで、使用の都度蓋体に作用する力に応じて内容器を変形させることが可能となり、この変形に伴って収容された粉末化粧料を強制的に流動させることが出来る。このため、粉末化粧料が固化することを防止して粉末状態を維持させることが出来る等の特徴を有するものである。
【図面の簡単な説明】
【図１】第１実施例に係るレフィル容器Ａの構成を説明する断面図である。
【図２】第１実施例に係るレフィル容器Ａの展開図である。
【図３】第２実施例に係るレフィル容器Ｂの構成を説明する断面図である。
【図４】第３実施例に係るレフィル容器Ｃの構成を説明する断面図である。
【図５】網の周囲に環状の突起を形成したレフィル容器Ｄの構成を説明する断面図である。
【図６】外容器としてコンパクト容器の身体を用いたレフィル容器Ｅの構成を説明する断面図である。
【図７】内容器に蓋体を一体化させる工程を説明する図である。
【図８】レフィル容器の使用時に於ける内容器の変形状態を説明する図である。
【図９】並列式コンパクト容器の斜視図である。
【図１０】並列式コンパクト容器を閉鎖した状態の断面図である。
【図１１】多段式コンパクト容器の斜視図である。
【図１２】多段式コンパクト容器を閉鎖した状態の断面図である。
【図１３】中蓋式コンパクト容器の斜視図である。
【図１４】中蓋式コンパクト容器を閉鎖した状態の断面図である。
【符号の説明】
Ａ〜Ｅ              レフィル容器    １                  内容器
１ａ                底面            １ｂ                側面
１ｃ                鍔              １ｄ                屈曲部
２                  網枠            ２ａ                係止環
２ｂ                網              ２ｃ，２ｄ          係止突起
３                  外容器          ３ａ                凹所
３ｂ                底板            ３ｃ                筒部
３ｄ                係止リング      ３ｅ，３ｆ          突起
４                  化粧具          ５                  粉末化粧料
６                  装着治具        ７                  リブ
11                  コンパクト容器  12                  身体
12ａ                凹所            12ｅ                突起
13                  蓋体
【図１】
0003805812.tif 000002
【図２】
0003805812.tif 000003
【図３】
0003805812.tif 000004
【図４】
0003805812.tif 000005
【図５】
0003805812.tif 000006
【図６】
0003805812.tif 000007
【図７】
0003805812.tif 000008
【図８】
0003805812.tif 000009
【図９】
0003805812.tif 000010
【図１０】
0003805812.tif 000011
【図１１】
0003805812.tif 000012
【図１２】
0003805812.tif 000013
【図１３】
0003805812.tif 000014
【図１４】
0003805812.tif 000015